(57)【特許請求の範囲】
【請求項１】
少なくとも第１及び第２の電極と、励起対象ガスを収容する空間と、を含む構造に対して、エネルギーを供給するように構成された電源装置であって、
電圧源と、
一次巻線及び二次巻線を備えた変圧器構成のインダクタであって、前記一次巻線は、前記電圧源に接続され、前記二次巻線は、前記第１及び第２の電極に任意周波数の周期的電圧を供給するように、前記第１及び第２の電極に接続される、インダクタと、
前記周波数を、前記構造及び前記インダクタから構成されるシステムの共振周波数に固定化するための共振手段と、を含み、
前記共振手段は、前記電圧源から前記変圧器の前記一次巻線への経路内に配置されたスイッチと、一定周期で前記スイッチを開成及び閉成するために前記スイッチに接続される制御システムと、を有し、
持続時間にわたって閉成される前記スイッチの閉成は、
前記構造を流れる前記電流がゼロ交差するとき、
前記電圧が閾値電圧と交差するとき、
光レベルが閾値と交差するとき、または
前記構造を流れる前記電流が閾値電流と交差するとき、の各瞬間からの１つの選択肢によってトリガされる、電源装置。
【請求項２】
前記周期的電圧は、少なくとも部分的に正弦波である請求項１に記載の電源装置。
【請求項３】
前記周期的電圧を断ち切る手段を更に含む請求項１に記載の電源装置。
【請求項４】
前記共振手段は、複数の共振周波数において動作することができるように構成された請求項１に記載の電源装置。
【請求項５】
前記構造を流れる前記電流のイメージを前記制御システムに配信するべく、前記電流を計測する手段を更に含み、前記周期における前記スイッチの閉成は、前記電流のゼロ交差においてトリガされる請求項１に記載の電源装置。
【請求項６】
前記電圧を計測する手段を更に含み、該手段は前記制御システムに接続されており、前記周期における前記スイッチの閉成は、前記電圧が前記閾値電圧を交差する際にトリガされる請求項１に記載の電源装置。
【請求項７】
前記スイッチが閉成している間の前記持続時間は、前記構造に供給すべきエネルギーに応じて調節可能である請求項１に記載の電源装置。
【請求項８】
前記周波数は、１０〜３００ｋＨｚの間である請求項１に記載の電源装置。
【請求項９】
平面型ランプを形成する構造の少なくとも第１および第２の電極に給電するように構成された請求項１に記載の電源装置。
【請求項１０】
少なくとも第１および第２の電極と、ガスを収容する空間と、を含む構造、および請求項１に記載の前記電源装置を有する集合体。
【請求項１１】
前記構造は、２つの対向する電極のそれぞれに付随していると共に前記空間を形成するべく離隔している２つの誘電体を含む請求項１０に記載の集合体。
【請求項１２】
前記構造は、背面投射システム用の平面型ランプ、あるいは、建築用、装飾用および／または表示照明用の平面型ランプを形成する請求項１０に記載の集合体。
【請求項１３】
前記構造は、プラズマＣＶＤプロセス用の蒸着システムの一部を形成する請求項１０に記載の集合体。
【請求項１４】
前記制御システムは、周期Ｔ＝１／（２ｆＲ）で前記スイッチを開成または閉成し、ここで、ｆＲは前記構造及び前記インダクタの前記システムでの前記共振周波数である請求項１に記載の電源装置。
【発明の詳細な説明】
【技術分野】
【０００１】
本発明の主題は、少なくとも２つの電極とガスを収容する空間とを含む構造に対して、エネルギー供給を構成するための電源装置に関するものである。この電源装置は、所定の周波数で周期的に変化する電圧を２つの電極に供給する電圧源と、この電圧源に接続され、かつ上記構造に接続されるインダクタとを有している。
【０００２】
尚、本発明については、平面型ランプの光源用電源の例において更に詳しく説明するが、本発明は、少なくとも２つの電極と励起対象のガスとを含む構造に対して、ガスをイオン化する電界を電極間に生成させるためのエネルギーを電極に供給するのに必要な上記構造用の任意の電源に関係し得るものである。
【背景技術】
【０００３】
平面型ランプは、一般に、背面投射型のスクリーン装置の製品に使用されている。該ランプは、互いにわずかに離隔した状態で保持されている２つのガラス基板を包含し、一般にこの離隔距離は数ミリメートル未満であり、かつ、低圧状態でガスを封入するべく密封シールされる。このガス中において、電気放電が、一般に紫外線領域における放射線を生成し、この放射線は蛍光体物質を励起し、この励起された蛍光体物質から可視光が放出される。
【０００４】
標準的な平面型ランプの構造においては、１枚のガラス基板は、陰極と陽極とが互いに組み合う円錐形の形状からなる主に銀を材料としたスクリーン印刷された２つの塗膜を、同一面上に持っている。この面は、プラズマガスを収容する空間に向けられる。別のガラス基板は、不連続に配置されたスペーサおよびあるいは周辺のフレームによって、第１の基板（塗膜のある上記基板）からある程度の距離に保持される。同一平面にあると考えられる放電（電界）は、陽極と陰極との間で生成され、すなわちガラス基板の中心となる表面の方向に生成され、この放電により周囲のプラズマガスが励起される。
【０００５】
上記電極は、ガラス基板の近傍でのイオン照射による電極材料の損失を防止するため、誘電体を塗膜することと電流を容量的に制限することとによって保護されている。また、ガスが収容されている空間に向いているガラス基板の面の少なくとも１つは、蛍光体材料の塗膜を有しており、これが、ガスのイオン化によって励起され、結果的に光を放出することになる。
【０００６】
しかしながら、このような構造においては、電極に給電する電気的コネクタは、ガスが封入された密閉筐体を貫通しなければならず、この結果、複雑な接続システムが必要とされる。
【０００７】
この接続問題に対する１つの解決策が、まったく異なる平面型ランプ構造を開示する仏国特許出願第０２／１００２０号（ＦＲ０２／１００２０）明細書に記述されている。この場合は、電極は、もはや筐体の内部には無く同一平面にも配置されておらず、外部に配置されて、電極表面を横断する電界を生成するように構成されている。
【０００８】
例えば、各々の電極は、ガスの存在箇所とは反対側のガラス基板の外部の表面上に、したがって２つの分離した平面上に配置される。また、電極の少なくとも１つは半透明の導電性要素であり、この電極を支持する平面は、平面型ランプの照明面を形成している。
【０００９】
この結果、筐体の外側に電極を配置することにより、一方においては、電気的接続が円滑に実行され、かつ、他方においては、ガラス基板は、電極に対してガスのイオン照射に対する容量面での保護の役目を果たすことになる。
【００１０】
また、上記明細書に記載の構造は、装飾用、ディスプレイ用および／または建築用の観点から、斬新な選択ができるような平面型の照明用構成要素として提案されている。
【００１１】
しかし、上記の特許出願明細書（ＦＲ０２／１００２０）は、電極に給電する手段については、記述していない。
【００１２】
使用可能な１つの装置は、例えば、米国特許第５，６０４，４１０号（ＵＳ５，６０４，４１０）明細書に開示されているものである。この電源装置は、パルス列の形態の電圧、すなわち周期的に、特定の一定期間にわたって実質的にゼロに降下するような電圧を供給する電圧源を有している。また、この装置は、電圧源に接続された電圧増幅器と、この電圧増幅器に接続されている一次巻線と、かつ電極に給電するべく、電極に接続されている二次巻線とを有する変圧器とを更に含んでいる。
【００１３】
この米国特許の装置に供給を要する電力量は、１ｍ2に近いまたはこれを上回る面積を有するような特別なランプ用で、過大に給電するものとなり、かつ過大なサイズの電源装置が必要となる。
【発明の開示】
【発明が解決しようとする課題】
【００１４】
本発明の目的は、電力消費量を制限することが可能であり、あらゆるタイプの構造に給電するのに適した電極用の電源装置を提供することにある。
【課題を解決するための手段】
【００１５】
このために、本発明は、少なくとも２つの電極と励起対象のガスを収容する空間とを含む構造に対して、エネルギーを供給するための電源装置を提案し、
上記電源装置は、任意の周波数の周期的な電圧を２つの電極に供給するべく、電圧源と、該電圧源に接続され、かつ上記構造に接続されたインダクタとを有する電源装置で、
上記周波数を、上記構造と上記インダクタから構成されたシステムの共振周波数ｆRに、前記周波数を実質的に固定化するための共振手段と呼ばれるものを含んでいる。
【００１６】
この結果、共振作用により、電力消費量が節減される。
【００１７】
本発明による装置は、例えば、任意の平面型ランプの構造（任意の電極構成を有するもの）および任意の容量を有する構造に使用することが可能である。共振周波数ｆRは、インダクタンスと構造の容量によって規定される。
【００１８】
上記までに説明した平面型ランプの構成および仏国特許出願第０２／１００２０号（ＦＲ０２／１００２０）明細書で開示されている平面型ランプの構成においては、構造の容量はガラス基板である誘電体の容量によって主に決定される。
【００１９】
例えば、このような平面型ランプの寸法は、１００ｍｍ×１００ｍｍまたは１０００ｍｍ×１０００ｍｍであり、すなわち、容量は、それぞれ、約３０ｐＦまたは３０００ｐＦである。
【００２０】
本発明による電源装置は、低圧または大気圧プラズマＣＶＤプロセスを使用する表面処理および／または蒸着にも同様に使用可能である。
【００２１】
低圧プラズマＣＶＤプロセスは、離隔され、かつ、誘電体の障壁を形成する２つの誘電体の各々に付随している２つの電極の少なくとも間で、ガスが充填された密封シール構造内で処理すべき表面を配置する段階を有している。
【００２２】
大気圧プラズマＣＶＤまたは大気圧プラズマ化学気相成長法（Atmospheric-Pressure  Plasma-Enhanced Chemical Vapor Deposition）プロセスにおいては、離隔され、かつ、誘電体の障壁を形成する２つの誘電体の各々に付随している２つの電極の少なくとも間で、ガスを収容するオープンな構造内に処理対象の表面を配置する段階を有している。大気圧プラズマエンハンスの技術については、Journal of Physics D:Applied Physics.28（１９９５年）の１６６１〜１６６９頁に記述されている。
【００２３】
構造は、例えば、平面型であるか、円筒形状型（円筒形電極をカバーする誘電体の障壁を有する）であるか、あるいは、ハイブリッド型である。
【００２４】
誘電体の障壁（付随する電極を有するもの）の１つは、処理対象の表面を支持することが可能であり、これは、もう１つの誘電体の障壁に対向するべく、平行に延長されることになる。
【００２５】
これらの誘電体障壁は、アルミナ層であるか、またはガラス基板であってよい。
【００２６】
処理対象の表面は、例えば、ガラス基板やプラスチックなどの誘電体であってよく、この上部に、太陽光からの保護膜や電磁シールドなどの保護用塗膜または機能的な塗膜を得るため、あるいはこの表面の特性を変更するべく、１つまたは複数の層を蒸着させることが望ましい。例えば、ＴｉＯ2またはＳｉＯ2層などを蒸着することも可能である。
【００２７】
共振周波数ｆRは、本装置のインダクタと構造の容量によって規定され、この容量は、２つの誘電体障壁の容量、ガスの容量（これは、ガスの高さに特に依存）および、恐らくは、処理対象の誘電体の容量によって決定される。この結果、合計容量は、１５０ｐＦ〜１０００ｐＦの間の広いレンジにおいて変化可能である。
【００２８】
また、例えば、平面型ランプの場合には、電力は、所望の照明レベルとランプのサイズに応じて、１０Ｗ〜２００Ｗの間であってよい。従って、本発明の電源装置の電子部品は、大電力に対する耐性の観点で選択されることになる。
【００２９】
本発明の第１の実施例においては、上記インダクタは、上記電極の１つに接続されており、上記共振手段は、
第１のスイッチは、上記電圧源と上記インダクタとの間に配置されており、第２のスイッチは、上記第１のスイッチと上記電極の他方（２１）とに接続されているような第１および第２のスイッチ、および
上記周波数を固定化するために、上記構造を通過する電流のイメージを計測する手段に接続され、上記スイッチを制御するための手段とを有している。
【００３０】
この場合、共振は第一のタイプである。
【００３１】
この第１の実施例においては、構造の供給電圧は、少なくとも部分的に正弦波であってよい。
【００３２】
低い勾配を有するような信号波形は、瞬間的なエネルギー消費量を節減することが可能である。
【００３３】
この理由は、パルスの形態の電圧は、正弦波電圧の微分係数を上回るような微分係数ｄＶ／ｄｔを有するためである。電流ｉ（＝Ｃ＊ｄＶ／ｄｔ）を得るには、この微分係数にランプの誘電体の容量を乗算するが、これは、誘電体の面積および厚さに依存しており、ランプの寸法が大きい場合には、この容量は無視できない。これに加えて、このようなパルスタイプの電圧によれば、電流ｉが急速に非常に大きな値に到達し、この結果、電力レベルが非常に大きなものになり、このため、エネルギーの節減に反することになる。
【００３４】
この第１の実施例においては、本装置は、電圧を断ち切る手段を含むことが可能であり、この場合には、電圧は、任意の瞬間にゼロ交差する代わりに、特定の選択された期間にわたってゼロに留まることになる。この結果、プラズマを励起させる際に、構造に対してシーケンシャルに給電することによって、エネルギー消費量が節減される。
【００３５】
この第の１実施例においては、共振手段は、複数の共振周波数において動作する能力を有するものであってよい。
【００３６】
この方法で、本発明の電源装置を、どのような構造の平面型ランプ、すなわちあらゆる寸法（誘電体容量）のものに対して、または既定の寸法範囲のものに対しても適用できる装置として提供できる。この装置は、電圧信号の周期に対して自動的に適合させることができる。
【００３７】
本発明の有効な第２の実施例においては、電源装置は、一次巻線と上記インダクタを形成する二次巻線とを備えた変圧器を含み、一次巻線は、電圧源に接続され、二次巻線は、２つの電極に接続されており、
共振手段は、電圧源から変圧器の一次巻線に至る経路内に配置されたスイッチと、周期Ｔで該スイッチを開閉するべく、該スイッチに接続された制御システムと、を包含し、
持続時間ｄｔにわたって閉成される前記スイッチの閉成は、
前記構造を流れる電流がゼロ交差するとき、
前記電圧が閾値電圧（Ｖ１、−Ｖ１）と交差するとき、
光レベルが閾値と交差するとき、
前記構造を流れる前記電流が閾値電流と交差するとき、からなる各瞬間の中の１つの選択肢によってトリガされる。
【００３８】
この場合、共振は、第二のタイプであり、インテリジェントシステムによるスイッチの開閉が可能である。
【００３９】
持続時間ｄｔ内において、構造は、エネルギー源（外付けの電圧源）から電圧が供給される。スイッチが閉じられている際に、変圧器の二次巻線はエネルギーを保存し、誘電体に対応するコンデンサは充電されることになる。
【００４０】
更には、スイッチが開成の状態にあるとき、外付けのエネルギー源、すなわち、電圧源からの電圧の供給は遮断される。しかし、一方で、構造内では、内部源とも呼称可能なエネルギー源によって電圧供給が継続される。この内部源とは、充電されたエネルギーを放電する誘電体のコンデンサと、周波数ｆRにおいて発振することによってそのエネルギーを回復する変圧器の二次巻線と、から構成される閉じた給電回路を意味する。
【００４１】
この方法で、電圧源すなわち電力幹線から抽出してくるエネルギーが、従来技術の電源装置を使用した場合の必要量と比較して低減されており、エネルギーを節約する成果が得られる。
【００４２】
更に正確には、構造を流れる電流のゼロ交差において、誘電体のコンデンサおよび変圧器から構成されるシステムから供給されるエネルギーが使い果たされ、一方で、新しいエネルギーが、外部の供給源すなわち電圧源から供給される。
【００４３】
同様に、供給電圧が、例えば、ランプ内の放電のトリガに必要な電圧に対応した閾値電圧と交差した場合に、ランプは、外部の供給源、すなわち電圧源から供給される新しいエネルギーによって光を放出することになる。
【００４４】
この閾値電圧は、事前に設定するかまたは操作者によって設定するかが可能であり、あるいは時間と共に調節することも可能である。
【００４５】
従来技術においては、パルス列の周期、電圧の振幅および電圧がゼロになるまでの時間は、電極の形状および電極からガスを分離している誘電体のタイプと厚さに依存するパラメータである。従って、各々のタイプのランプ構成、各装置に適合した電圧および給電時間に関係する特性に対応させた分離型の電源装置を製造する必要がある。
【００４６】
従って、上記のような電源装置の場合、多数の異なる種類の電源装置を製造する必要がある。各々の電源は、特定の１つのタイプの平面型ランプに適合させるために、ランプの寸法、ガスとその収納容積および必要な供給電力に応じた異なる特性を有する電源装置を製造することになる。
【００４７】
現在、様々なランプが大量生産されており、それぞれのタイプのランプごとに、１つの特定の装置を設計することを想定するのは、製造コストが過大となり、結果的に、ランプの価格が消費者にとって過大なものとなることから、上記のような想定は困難である。
【００４８】
しかしながら、この第２の装置の場合には、この電源装置により、あらゆる構造、すなわち、あらゆる寸法（誘電体の容量）に対応する電源装置が提供され、この電源装置は、電圧信号の周期を自動的に適合することができ、そのサイズも小さくなる。
【００４９】
プラズマエンハンスＣＶＤ構造の場合、１つまたは両方の誘電体の汚れ、処理対象のガラス基板の特性またはサイズの変化、および誘電体のサイズまたは形状の変化により、結果的に構造の容量が変化することになるが、この第２の実施例においては、上記の変化が自動的に考慮される。
【００５０】
１つの特徴のとして、本発明の電源装置は、構造に流れる電流のイメージを制御システムに配信する電流計測の手段を含むことが可能であり、この電流のゼロ交差においてトリガされる周期Ｔでスイッチを閉成させる。
【００５１】
別の特徴として、本発明の電源装置は、電圧を計測する手段を含むことが可能であり、この手段は制御システムに接続されており、上記電圧が上記閾値の電圧を交差したときにトリガされる周期Ｔでスイッチを閉成させる。
【００５２】
好ましくは、スイッチが閉じられる時間の持続時間は、構造に供給されるエネルギーに応じて調節可能である。
【００５３】
スイッチが閉じられている時間内において、電圧の突然の変動は、ランプを点灯させるのに十分なランプ用パルス電流を得ることを可能にする。この突然の変動の強度と方向は、スイッチの閉成のためにトリガされる瞬間と、スイッチの閉成状態の持続時間ｄｔと、に応じて選択される。
【００５４】
この電圧の突然の変動は、例えば、電圧の振幅を増大させることによって結果を得ることが可能であり、例として、電圧が正の（または、負の）閾値の電圧値に到達したときに、正の（または、負の）電圧の傾斜（ramp）を新規に生成することで可能となる。
【００５５】
また、この電圧の突然の変動は、任意の正の閾値電圧から対応する負の値に通過させることで結果を得ることが可能である。
【００５６】
電圧の突然の変動は、例えば、実質的に一定の振幅のＤＣ電圧を持続時間ｄｔにわたって一次巻線に印加し、この後でこのＤＣ電圧をカットオフすることによって、持続時間ｄｔのパルスを形成することが可能である。
【００５７】
好ましくは、良好な充電フローのために、電圧はゼロを中心に対称であってよい。
【００５８】
また、周波数はシステムによって変化し、例えば、１０ｋＨｚ〜数ＭＨｚの間で変化する。
【００５９】
好ましくは、周波数（従って、実質的には共振周波数）は、１０〜３００ｋＨｚの間であり、良好な放電のためには、好ましくは、４０〜５０ｋＨｚの間である。
【００６０】
インダクタンス値（変圧器が存在する場合は、二次巻線のインダクタンスが該当）は、共振周波数が上記の有利なレンジ内におさまるように、例えば、構造の容量に応じて選択されることになる。
【００６１】
本発明により、このような電源装置を、平面型ランプを形成する構造の少なくとも２つの電極に対して給電するのに有効に使用することが可能となる。
【００６２】
また、本発明は、
少なくとも２つの電極とガスを収容する空間とを含む構造と、
先程規定した電源装置とを有する集合体も提案する。
【００６３】
構造は、それぞれ２つの対向する電極に付随して、かつ空間を生成するべく離隔した２つの誘電体を含むことができる。
【００６４】
有効な一実施例においては、構造は、背面投射システム用の平面型ランプ、あるいは、建築用、装飾用および／または表示照明用の平面型ランプを形成している。
【００６５】
別の実施例においては、構造は、大気圧または低圧プラズマＣＶＤプロセス用の蒸着システムの一部を形成している。
【００６６】
以下、添付の図面との関連で、本発明について更に詳細に説明することとする。
【発明を実施するための最良の形態】
【００６７】
図１は、第１の実施例における構造２の少なくとも２つの電極２０、２１に対して、電気的エネルギーを供給可能な本発明による電源装置１を示している。
【００６８】
構造２は、電極２０、２１と、および特定の距離だけ離隔して互いに対向する２つの誘電体要素２２、２３と、この誘電体要素の各々の上部には電極の１つが配置されるが、さらに２つの誘電体要素を分離する空間内に収容された少なくとも１つのガス２４と、を有している。この構造の例において、電極２０、２１は、ガスと対向する面２２ｂ、２３ｂとは反対側にある誘電体要素の外側の面２２ａ、２３ａに付随している。各々の誘電体要素は、結合している電極の面積に応じた容量を有している。
【００６９】
上記構造は、例えば、平面型ランプを構成することが可能である。従って、この場合は、構造は密封シールとされる。
【００７０】
上記構造は、誘電体要素２２、２３として、スペーサによって数ミリメートル未満の空間を残して互いに離隔した状態で保持され、ガラス原料から製造されたフレームによって互いにシールされた２つのガラス基板を有している。ガラスシートの外部面は、電極２０、２１によってカバーされており、少なくとも１つのガラス基板の内部面は、蛍光体材料によって塗膜されている。
【００７１】
２つのガラス基板の間の空間を充填しているガス２４は、一般に、大気圧の数十パーセント程度の低圧状態にあり、例えば、キセノン、あるいはキセノン／ネオンの混合物から構成されている。最後に、電極２０、２１は、既知の方法により、導電性の層から形成されている。
【００７２】
なお、この平面型ランプの構成の更なる詳細については、仏国特許出願第０２／１００２０号（ＦＲ０２／１００２０）明細書を参照されたい。
【００７３】
上記構造２の電極２０および２１は、柔軟性のある先端がくさび状の細いコネクタ３０および３１によって、それぞれ、電源装置１に接続されている。
【００７４】
また、上記構造２は、低圧プラズマＣＶＤ表面処理および／または蒸着システムの一部を構成することも可能である。この場合には、誘電体要素２２、２３は、例えば、２つのアルミナ要素（例えば、０．５ｍｍ±０．１ｍｍ）によって形成され、これらは、互いに対向し（例えば、５または６ｍｍだけ離隔している）、また一方で、対向する面の反対側の面上の１つには、例えば、導電性層から構成された電極２０または２１を保持している。
【００７５】
上記電極に付随している上記誘電体要素は、低圧状態のガス２４が封入されている密封シールの筐体内に封入される。
【００７６】
また、構造２は、大気圧プラズマＣＶＤ表面処理および／または蒸着システムの一部を構成することも可能であり、この場合には、構造は、オープン状態にある。
【００７７】
一例を挙げれば、２６０℃の温度に加熱された清浄なガラスの上でＴｉＯ2層が蒸着される。ヘリウム（Ｈｅ）と酸素（Ｏ2）から構成されるガス混合物が導入される。
【００７８】
有機金属蒸気を搬送するために、有機金属の先駆物質、すなわち四塩化チタニウム（ＴｉＣｌ4）が、加熱されたバブラ（bubbler）内に注ぎ込まれ、搬送用ガス（Ｈｅ）がバブラ内に注入される。均衡状態において、合計圧力を１０１３ｍｂａｒ±５０ｍｂａｒに維持される。
【００７９】
電源装置１は、電圧源１０と、該電圧源１０と２つの電極２０、２１との間を接続する変圧器４０と、該電圧源１０と変圧器４０との間を接続する電子タイプのスイッチ５０とを有し、このスイッチ５０は、変圧器に対してエネルギーを供給または供給停止するべく開閉するためのものである。さらに、電源装置１は、開閉する能力を有するスイッチ５０を制御するシステム６０と、変圧器と構造２との間にあって該構造２の経路内の電流を計測する手段７０とを有している。
【００８０】
電圧源１０は、上流にある電力幹線に接続されており、この電力幹線は、周波数５０Ｈｚで単相２２０ボルトの電圧を供給する。この電圧源には、既知の方法に従って、上流端から下流端に向かって、ＥＭＣ（電磁適合性）フィルタブロック１１と整流器ブロック１２とを包含している。ＥＭＣフィルタブロック１１は、電力線の電圧をフィルタリングし、雑音を除去するのに使用する。整流器ブロック１２は、実質的に一定の振幅のＤＣ電圧を給電するのに使用されるが、本発明の構成においてはＤＣ電圧が負側に選択されることがあるので、この電圧源内に包含される電子部品を保護する意味も含まれている。
【００８１】
変圧器４０は、電圧源の整流器ブロック１２に接続されている一次巻線４１と、二次巻線４２とを有しており、この二次巻線の端子４３、４４は、それぞれ、コネクタ３０および３１を介して電極２０、２１に接続されている。
【００８２】
電圧源１０と変圧器４０との間を接続するスイッチ５０は、制御システム６０の手段により、シーケンシャルに変圧器に給電する目的で使用される。この制御システム６０は、Ｔ＝１／（２ｆR）となるように、スイッチ５０のスイッチング周期Ｔを生成する。なお、ｆRは、構造２と変圧器４０の二次巻線４２から構成されたシステムの共振周波数である。
【００８３】
共振周波数ｆRは、変圧器４０の出力インダクタンスと構造２の容量によって規定され。なお、構造の容量は、誘電体２２と２３すなわちガラス基板の容量によって主に決定される。
【００８４】
各周期Ｔ＝１／（２ｆR）でスイッチを閉じることは、構造２に対して外部の供給源（電圧源１０）から正確な周期で電圧を供給することを可能にする。この周期は、構造が動作するための電圧を必要とするときであり、例えば、平面型ランプの場合は、ランプをターンオフする準備が整ったときである。従って、本発明の構造は、電力幹線のような外部電源からの継続的な給電を必要としないため、エネルギーの節約が可能である。
【００８５】
上記周期がシステムの周波数に依存しているという事実により、スイッチの閉成時期が最適化されるので、上記構造が外部の電圧供給をさらに必要としない場合は、導電状態を予測によって生成する必要はない。
【００８６】
共振周波数ｆRは、構造２の特性（すなわち、誘電体の特性、誘電体間の距離、誘電体の厚さ、および電極の表面および特性）と、変圧器の出力インダクタンスと、によって決定され、この周波数は、例えば、４０〜５０ｋＨｚの間で選択される。
【００８７】
プラズマＣＶＤ構造の場合には、例えば、蒸着の反応速度を低減し、かつ、相対的に大きな安定性を得るべく、相対的に低い共振周波数を選択することが可能である。
【００８８】
スイッチ５０は、持続時間ｄｔにわたって閉成状態に留まり、すなわちこの時間にわたって導電状態となり、また、ランプから光が放出され、すなわちこの持続時間がランプの照明時間となる。この持続時間ｄｔが長いほど、ランプの光エネルギーも大きくなる。有利なことには、この持続時間ｄｔは、ランプの輝度を微細に制御するべく、手動で調節することが可能である。
【００８９】
電流を計測する手段７０は、変圧器の二次巻線と構造２の間に配置され、構造２を流れる電流のイメージを制御システム６０に配信する。この結果、電流のゼロ交差により、スイッチ５０が自動的に閉じることができる。
【００９０】
次に、本発明の装置について図２との関連で説明する。この図の中では、構造２に対して給電する一例として、平面型ランプを点灯させるための電源について説明する。
【００９１】
図２は、変圧器の二次巻線の端子間の電圧Ｖ（ｔ）すなわちランプの端子間の電圧、ランプ内の電流ｉ（ｔ）、およびランプから供給される光エネルギーＬ（ｔ）を、時間の関数として示している。
【００９２】
時間ｔ1において、電流ｉ（ｔ）は、０に等しく、電圧Ｖ（ｔ）は、Ｖ０に等しい。スイッチ５０は、閉成状態にあるので、電圧源１０の電圧が変圧器の一次巻線４１に給電される導電状態にある。
【００９３】
変圧器の一次巻線に供給された電圧が、二次巻線内において変換され、次いで、これが、ランプすなわち２つの電極２０および２１に給電される。Ｖ（ｔ）の振幅、すなわちＶ０は、ガスをイオン化するのに必要な電圧に等しいか、または必要な電圧を上回っている。
【００９４】
平面型ランプの場合には、Ｖ（ｔ）の振幅は、例えば、３００Ｖ〜３ｋＶの間であってよく、通常は、１〜２ｋＶ程度である。
【００９５】
また、持続時間ｄｔにわたって発生している導電状態は、変圧器の二次巻線内にエネルギーを保存し、このエネルギーは、スイッチの導電状態の持続時間ｄｔに比例しており、かつ、２つの誘電体２２、２３に対応するコンデンサをエネルギーで充電することができる。
【００９６】
また、この持続時間ｄｔ内においては、ガスがイオン化されるため、一方では、パルス電流ｉ（ｔ）がランプを通じて流れ、他方では、ランプが点灯する。点灯のときは、光エネルギーＬ（ｔ）のピークＰ１によって示されている。
【００９７】
持続時間ｄｔ＝ｔ2−ｔ1の後で、製造者またはユーザーによって設定される瞬間ｔ2において、Ｖ（ｔ）は−Ｖ０に等しくなる。
【００９８】
制御システム６０がスイッチ５０を開成する。この結果、変圧器の一次巻線への給電が停止し、次いで、変圧器の二次巻線内に保存されていたエネルギーと、誘電体に対応するコンデンサ内に保存されていたエネルギーとが、構造２と変圧器の二次巻線４２によって形成されるシステムの共振周波数ｆRで発振する正弦波供給電圧Ｖ（ｔ）として、ランプに戻され、構造２を流れる電流ｉ（ｔ）として継続させることが可能である。
【００９９】
供給電圧Ｖ（ｔ）のゼロ交差の近傍において、すなわち、瞬間ｔ3において、Ｖ（ｔ）の振幅に等しい誘電体要素の端子間の電圧が、ガスに対して逆に印加され、ランプを再度点灯（光エネルギーＬ（ｔ）のピークＰ２の時点）させるべく、ガスを再度イオン化させる。
【０１００】
電圧Ｖ（ｔ）は、時間ｔ1＋Ｔまで変化を継続する。なお、Ｔ＝１／（２ｆR）であり、Ｔは電流ｉ（ｔ）のゼロ交差の検出する周期に対応している。この結果、もはや、ガスは十分にはイオン化されないため、ランプは点灯しない。
【０１０１】
ランプを再度点灯させるには、電流のゼロ交差を検出した瞬間ｔ1＋Ｔにおいて、スイッチを再度閉成させる必要がある。このため、制御システム６０がスイッチ５０を再度閉成させ、この結果、新しい周期のｄｔ内において、変圧器およびランプのための新しい給電が確保され、誘電体からの新しい電荷により新しいイオン化と新しい照明（新しいピークＰ１）が結果として得られる。
【０１０２】
スイッチ５０を開閉するこれらの動作は、ランプの電極に対して給電するべき所望の時間にわたって、すなわちランプの所望の照明時間にわたって反復される。
【０１０３】
従って、制御システム６０は、電流を計測することにより、構造の電極に対して再給電するべき瞬間の正確な制御を可能にしている。この結果、特定のインピーダンス特性を有する任意の構造２に対して接続可能であり、本発明の電源装置１は、スイッチ５０が開成した後で電流がゼロと交差すると、即座にスイッチを再度自動的に閉成する。この瞬間は、１／（２ｆR）に等しいスイッチ周期Ｔに対応しており、ｆRは、構造２および変圧器４０の二次巻線４２から構成されたシステムの共振周波数である。
【０１０４】
この第１の実施例の変形においては、本発明の電源装置１は、Ｖ（ｔ）＝Ｖ０のときに自動的にスイッチ５０を閉成するようにトリガする。トリガ時の閾値電圧Ｖ０は、手段７０を置換するような適切な手段によって計測され、このトリガ時の瞬間は、１／（２ｆR）に等しいスイッチ周期Ｔに対応している。
【０１０５】
第１の実施例の変形に関連して、図３は、構造の端子間の電圧たとえば平面型ランプの電圧、ランプ内の電流、およびランプから供給される光エネルギーを、時間の関数として示している。
【０１０６】
電圧Ｖ（ｔ）を計測する手段が、電流を計測する手段７０を置換している。
【０１０７】
時間ｔ1において、ランプの端子間の電圧はＶ１である。これは、スイッチング用の第１の閾値電圧に対応しており、スイッチ５０は、電圧源１０からの電圧を変圧器の一次巻線に供給するべく導電状態となるように閉成状態にあり、この結果、正の電圧が供給される。
【０１０８】
この変圧器の一次巻線に供給された電圧は、二次巻線内において変換され、次いで、これが、ランプ、すなわち、２つの電極２０および２１に供給される。
【０１０９】
また、持続時間ｄｔにわたって発生する導電状態は、変圧器の二次巻線内にエネルギーを保存させ、このエネルギーは、スイッチの導電状態時間ｄｔに比例しており、かつ２つの誘電体２２、２３に対応するコンデンサをこのエネルギーで充電させることができる。
【０１１０】
また、この持続時間ｄｔ内においては、ガスがイオン化されるため、一方においては、パルス電流ｉ（ｔ）がランプを通じて流れ、他方においては、ランプが点灯する。点灯のときは、光エネルギーＬ（ｔ）のピークＰ１によって示されている。
【０１１１】
瞬間ｔ2において、すなわち持続時間ｄｔ＝ｔ2−ｔ1の終了時点で、この瞬間は、製造者またはユーザーによって設定されるが、ランプの端子間の電圧Ｖ（ｔ）はＶ２に等しくなる。この電圧は、ガスのイオン化に必要な電圧と等しいか、または上回っているときである。次いで、制御システム６０がスイッチ５０を開成する。
【０１１２】
この結果、変圧器の一次巻線への給電が停止し、次いで、変圧器の二次巻線内に保存されているエネルギーと、誘電体に対応するコンデンサ内に保存されているエネルギーとが、ランプ２と変圧器の二次巻線４２によって形成されたシステムの共振周波数ｆRで発振する正弦波供給電圧Ｖ（ｔ）として、ランプに戻され、ランプを流れる電流ｉ（ｔ）として継続させることが可能である。
【０１１３】
電圧Ｖ（ｔ）は、時間ｔ3まで充電を継続させる。なお、時間ｔ3は、スイッチングのための第２の閾値電圧−Ｖ１に対応している。次いで、電圧源１０からの電圧を変圧器の一次巻線に供給するべく導電状態となるように、スイッチ５０を閉成状態にしておき、負電圧が供給されるようにする。
【０１１４】
この変圧器の一次巻線に供給された電圧が、二次巻線内において変換され、次いで、これが、ランプすなわち電極２０および２１に供給される。
【０１１５】
また、持続時間ｄｔ＝ｔ4−ｔ3にわたって発生する導電状態は、変圧器の二次巻線内にエネルギーを保存させ、このエネルギーは、スイッチの導電状態時間ｄｔに比例しており、かつ２つの誘電体２２、２３に対応するコンデンサをこのエネルギーで充電させることができる。
【０１１６】
まだ、この持続時間ｄｔ内においては、ガスがイオン化されるため、一方においては、パルス電流ｉ（ｔ）がランプを通じて流れ、他方においてはランプが点灯する。点灯時が光エネルギーＬ（ｔ）のピークＰ２によって示されている。
【０１１７】
瞬間ｔ4において、すなわち時間ｄｔの終了時点において、この瞬間は、製造者またはユーザーによって設定されるが、ランプの端子間の電圧Ｖ（ｔ）は、−Ｖ２に等しくなる。次いで、制御システムがスイッチ５０を開成する。
【０１１８】
再度、変圧器の一次巻線に対する給電が停止される。次いで、変圧器の二次巻線内に保存されているエネルギーと、誘電体に対応するコンデンサ内に保存されているエネルギーとが、ランプ２および変圧器の二次巻線４２から構成されたシステムの共振周波数ｆRで発振する正弦波供給電圧Ｖ（ｔ）として、ランプに戻され、ランプを流れる電流ｉ（ｔ）として継続させることが可能である。
【０１１９】
電圧Ｖ（ｔ）は、時間ｔ1＋Ｔまで充電を継続する。ランプを再度点灯させることを確実にするために、上記時間の瞬間ｔ1＋Ｔにおいて、再度スイッチ５０を閉成させる必要がある。このため、制御システム６０は、再度スイッチ５０を閉成し、この結果、新しい期間ｄｔ内において、変圧器ための新しい給電が確保され、結果的に、ランプにために誘電体からの新しい電荷により新しいイオン化と新しい照明（新しいピークＰ１）がもたらされる。
【０１２０】
同様に、Ｖ（ｔ）の負の部分内においても、瞬間ｔ3＋Ｔにおいて、再度スイッチ５０を閉成させる必要がある。
【０１２１】
スイッチ５０を開閉するこれらの動作は、ランプの電極に対して給電するべき所望の時間にわたって、すなわちランプの所望の照明時間にわたって反復される。
【０１２２】
従って、閾値電圧Ｖ１（または、代替として−Ｖ１）を計測することで、制御システム６０は、構造の電極に対して再給電すべき瞬間を正確に制御することを可能にしている。
【０１２３】
また、特定のインピーダンス特性を有する任意の構造２に対して接続することが可能であり、電源装置１は、スイッチ５０が開成した後、Ｖ１の値または−Ｖ１の値のいずれかに到達すると、即座に上記スイッチを再度自動的に閉成させることになる。
【０１２４】
周期Ｔは、閾値電圧Ｖ１（または、−Ｖ１）と振幅Ｖ２（または、−Ｖ２）とに依存している。Ｖ１＝Ｖ２の場合は、完全な正弦波とＴ＝１／ｆRが得られる。Ｖ１＝Ｖ２／２の場合は、Ｔ＝０．７５／ｆRが得られる。
【０１２５】
図４は、第２の実施例として、構造２の少なくとも２つの電極２０、２１に対して、電気エネルギーが供給可能な本発明による電源装置１’を示している。
【０１２６】
図１との関連で説明した要素に類似した機能を果たす要素には、同一の参照符号が付与されており、以下においては、再度の詳細な説明を省略することとする。
【０１２７】
電源装置１’は、電圧源１０と、１つの電極２０および電圧源１０に接続されているインダクタ４０’と、共振手段とを有している。
上記共振手段は、
電圧源１０とインダクタ４０’の間に配置された電子タイプの第１のスイッチ５０ａと、
第１のスイッチともう１つの電極２１とに接続された電子タイプの第２のスイッチ５０ｂと、
これらのスイッチを制御する手段６０’とを含む。
スイッチを制御する手段６０’は、実質的に共振周波数ｆRにおいて構造２の供給電圧の周波数を固定化するために、構造２を流れる電流のイメージを計測する手段７０’に接続される。また、計測する手段７０’は、第２のスイッチ５０ｂともう１つの電極２１との間に配置される。
【０１２８】
この結果、構造用の供給電圧の周期は、周期Ｔ＝１／ｆRの正弦波と等しくなる。従って、電源装置１’は、給電対象である構造２と第一の共振タイプにある信号を配信し、これにより、電力消費量を節減させることが可能である。
【０１２９】
構造２の任意の合計容量値に対しては、放電時を最適にする共振周波数を得ることができるインダクタ４０’を選択することが好ましい。
【図面の簡単な説明】
【０１３０】
【図１】本発明の第１の実施例における平面型ランプを例とする給電対象の構造と関連する電源装置を示す図である。
【図２】第１の実施例による平面型ランプの構造における端子間電圧、ランプ内の電流、およびランプから放出される光エネルギーを時間の関数として示す図である。
【図３】第１の実施の代替例による平面型ランプの構造における端子間電圧、ランプ内の電流、およびランプから放出される光エネルギーを時間の関数として示す図である。
【図４】本発明の第２の実施例における平面型ランプを例とする給電対象の構造と関連する電源装置を示す図である。
【図１】
0004643574.tif 000002
【図２】
0004643574.tif 000003
【図３】
0004643574.tif 000004
【図４】
0004643574.tif 000005